(57)【特許請求の範囲】
【請求項１】
傷病者の発見地点からの搬送先である域内搬送拠点に設置される域内拠点端末と、救助者が所持し、ＧＰＳ機能を備えていてネットワークを介して前記域内拠点端末に接続される携帯端末と、前記域内搬送拠点からの搬送先である域外搬送拠点に設置され、ネットワークを介して前記域内拠点端末に接続される域外拠点端末とを少なくとも含んで構成される傷病者特定システムであって、傷病者が発見された場所の座標値と発見時刻とから当該傷病者の初期値ＩＤが設定され、前記初期値ＩＤを含む一次データが前記携帯端末からネットワークを介して当該傷病者の搬送先の前記域内搬送拠点の前記域内拠点端末に送信されてそのデータベース管理手段によって管理され、前記傷病者が搬送された域内搬送拠点において、その域内搬送拠点の座標値と当該傷病者の受け入れ時刻とから第２ＩＤが設定されて前記初期値ＩＤに付加され、それに当該域内搬送拠点における処置内容を含む情報が関連付けされて付加されて二次データが作成され、前記域内拠点端末のデータベースにおける当該傷病者の一次データが更新されると共に、前記二次データが前記域内拠点端末から前記傷病者の搬送先である前記域外搬送拠点の域外拠点端末に送信されてそのデータベース管理手段によって管理され、前記傷病者が搬送された域外搬送拠点において、その域外搬送拠点の座標値と当該傷病者の受け入れ時刻とから第３ＩＤが設定されて前記初期値ＩＤ及び前記第２ＩＤに付加され、それに前記域外搬送拠点における処置内容を含む情報が関連付けされて付加されて三次データが作成され、前記域外拠点端末のデータベースにおける当該傷病者の前記二次データが更新されることを特徴とする傷病者特定システム。
【請求項２】
更に、前記域外搬送拠点からの搬送先である最終治療病院に設置され、ネットワークを介して前記域外拠点端末に接続される最終病院端末を含み、前記三次データが前記域外拠点端末から前記最終治療病院の前記最終病院端末に送信されてそのデータベース管理手段によって管理され、前記最終治療病院において、その最終治療病院の座標値と当該傷病者の受け入れ時刻とから最終ＩＤが設定されて前記初期値ＩＤ、前記第２ＩＤ及び前記第３ＩＤに付加され、これに当該最終治療病院における処置内容が関連付けされて付加されて最終データが作成され、前記最終病院端末のデータベースにおける当該傷病者の三次データが更新される、請求項１に記載の傷病者特定システム。
【請求項３】
前記域内拠点端末、前記域外拠点端末及び前記最終病院端末のそれぞれに対して外部からアクセスして、前記二次データ、三次データ及び最終データをそれぞれ閲覧することを可能にした、請求項２に記載の傷病者特定システム。
【請求項４】
傷病者の発見地点からの搬送先である域内搬送拠点に設置される域内拠点端末と、救助者が所持し、ＧＰＳ機能を備えていてネットワークを介して前記域内拠点端末に接続される携帯端末と、前記域内搬送拠点からの搬送先である域外搬送拠点に設置され、ネットワークを介して前記域内拠点端末に接続される域外拠点端末とを用いて実行される傷病者特定方法であって、
前記携帯端末により、一次トリアージ実施者である前記救助者により入力された、傷病者が発見された場所の座標値と発見時間とから当該傷病者の初期値ＩＤが設定されてそれに関連付けされた一次データが作成されるステップと、
設定された前記初期値ＩＤが、前記一次データが前記ネットワークを介して前記携帯端末から当該傷病者の搬送先の前記域内搬送拠点の前記域内拠点端末に送信されてそのデータベース管理手段によって管理されるステップと、
前記域内拠点端末により、当該傷病者が搬送された前記域内搬送拠点において、前記域内搬送拠点における二次トリアージ実施者により入力された、その域内搬送拠点の座標値と当該傷病者の受け入れ時刻とから第２ＩＤが設定されて前記初期値ＩＤに付加され、これに前記域内搬送拠点における処置内容を含む情報が関連付けされて付加されて二次データが作成され、当該傷病者の前記一次データが更新されるステップと、
前記二次データが、当該傷病者の搬送先である前記域外搬送拠点の域外拠点端末に送信されてそのデータベース管理手段によって管理されるステップと、
前記域外拠点端末により、当該傷病者が搬送された前記域外搬送拠点において、前記域外搬送拠点における三次トリアージ実施者により入力された、その域外搬送拠点の座標値と当該傷病者の受け入れ時刻とから第３ＩＤが設定されて前記初期値ＩＤ及び前記第２ＩＤに付加され、これに前記域外搬送拠点における処置内容を含む情報が関連付けされて付加されて三次データが作成され、当該傷病者の前記二次データが更新されるステップと、
から成ることを特徴とする傷病者特定方法。
【請求項５】
更に、前記傷病者の前記域外搬送拠点からの搬送先である最終治療病院に設置され、ネットワークを介して前記域外拠点端末に接続される最終病院端末を含み、前記最終病院端末により、前記傷病者が搬送された前記最終治療病院において、前記最終治療病院における最終治療者により入力された、前記最終治療病院の地点の座標値と当該傷病者の受け入れ時刻とから最終ＩＤが設定され、前記初期値ＩＤ、第２ＩＤ及び第３ＩＤに付加され、また、これに前記最終治療病院における処置内容を含む情報が関連付けされて付加されて最終データが作成され、前記最終病院端末のデータベース管理手段によって管理されるステップを含む、請求項４に記載の傷病者特定方法。
【請求項６】
前記域内拠点端末、前記域外拠点端末及び前記最終病院端末のそれぞれに対して外部からアクセスして、前記二次データ、三次データ及び最終データをそれぞれ閲覧することが可能にされる、請求項５に記載の傷病者特定方法。
【発明の詳細な説明】
【技術分野】
【０００１】
本発明は、傷病者特定システム及び特定方法に関するものであり、より詳細には、大災害時等に際して多数の死傷者が生じた場合、収容した死傷者の特定を容易化し、また、発見救助されて搬送された傷病者の収容先並びに処置内容を随時把握することを可能にする傷病者の特定システム及び特定方法に関するものである。
【背景技術】
【０００２】
先の東日本大震災においては、多数の人が重傷又は軽傷の状態で救出され、あるいは、遺体で発見されたが、津波による被害を被った地域では、地上の建築物のほとんどが津波によって押し流されてしまい、被災者及び遺体の身元確認のために重要な要素となる地上の目標物がなくなってしまった。そのため、救出者が被災者を救出した位置や遺体を収容した位置を特定することができず、被災者及び遺体の身元確認作業は困難を極めた。
【０００３】
また、救出されて各所の病院に収容された傷病者についての追跡手段がなかったために、関係者が安否確認することができず、収容された病院においても、そこに運び込まれるまでに如何なる症状であって、それに対して如何なる治療がなされたてきたかについて正確に把握することができず、迅速且つ適切に対応する上で支障があった。
【０００４】
更に、現在、災害医療に関わる各国、各機関において、傷病者を特定するための識別番号（ＩＤ番号）が標準化されていないため、電子化が進められても、当該傷病者に関する情報の共有、有効な活用へと結び付いていない。  
【先行技術文献】
【特許文献】
【０００５】
【特許文献１】特開２０１０−１３００４３号公報
【発明の概要】
【発明が解決しようとする課題】
【０００６】
上述したように、大災害時等に際して多数の死傷者が生じた場合であって、殊に、津波災害のように、救出者が被災者を救出した位置や遺体を収容した位置を特定することができない場合には、被災者及び遺体の身元確認作業は困難を極め、また、救出されて各所の病院に収容された傷病者についての追跡手段がないため、関係者が安否確認することができず、収容された病院においても、そこに運び込まれるまでに如何なる症状であって、それに対して如何なる治療がなされたかについて正確に把握することができなかったため、以後の治療を迅速且つ適切に行う上で支障があった。
【０００７】
そこで本発明は、大災害時等に際して多数の死傷者が生じたような場合において、被災者及び遺体の身元確認作業を容易化し、また、救出されて各所の病院に収容された傷病者の収容先を容易且つ確実に確認することができ、しかも、各傷病者につき、如何なる症状であって如何なる治療がなされたかの把握も可能で、以後の対応を適切に行うことを可能にする傷病者の特定システム及び特定方法を提供することを課題とする。
【０００８】
また、本発明は、災害医療に関わる各国、各機関において標準化されていない、傷病者を特定するための識別番号（ＩＤ番号）の標準化を推進し、以て、当該傷病者に関する情報の共有並びに有効活用を図ることを可能にする傷病者の特定システム及び特定方法を提供することをも課題としている。
【課題を解決するための手段】
【０００９】
本発明者は現実に上記事態に直面してその問題点を痛感し、その問題点を解決せんとして本発明をなしたものである。そして、上記課題を解決するための請求項１に記載の発明は、傷病者の発見地点からの搬送先である域内搬送拠点に設置される域内拠点端末と、救助者が所持し、ＧＰＳ機能を備えていてネットワークを介して前記域内拠点端末に接続される携帯端末と、前記域内搬送拠点からの搬送先である域外搬送拠点に設置され、ネットワークを介して前記域内拠点端末に接続される域外拠点端末とを少なくとも含んで構成される傷病者特定システムである。
【００１０】
そして、このシステムは、傷病者が発見された場所の座標値と発見時刻とから当該傷病者の初期値ＩＤが設定されて当該傷病者に付されると共に、前記初期値ＩＤを含む一次データが前記携帯端末からネットワークを介して当該傷病者の搬送先の前記域内搬送拠点の前記域内拠点端末に送信されてそのデータベース管理手段によって管理され、前記傷病者が搬送された域内搬送拠点において、その域内搬送拠点の座標値と当該傷病者の受け入れ時刻とから第２ＩＤが設定されて前記初期値ＩＤに付加され、それに当該域内搬送拠点における処置内容を含む情報が関連付けされて付加されて二次データが作成され、前記域内拠点端末のデータベースにおける当該傷病者の一次データが更新されると共に、前記二次データが前記域内拠点端末から前記傷病者の搬送先である前記域外搬送拠点の域外拠点端末に送信されてそのデータベース管理手段によって管理され、前記傷病者が搬送された域外搬送拠点において、その域外搬送拠点の座標値と当該傷病者の受け入れ時刻とから第３ＩＤが設定されて前記初期値ＩＤ及び前記第２ＩＤに付加され、それに前記域外搬送拠点における処置内容を含む情報が関連付けされて付加されて三次データが作成され、前記域外拠点端末のデータベースにおける当該傷病者の前記二次データが更新されることを特徴とする。
【００１１】
一実施形態においては、更に、前記域外搬送拠点からの搬送先である最終治療病院に設置され、ネットワークを介して前記域外拠点端末に接続される最終病院端末を含み、前記三次データが前記域外拠点端末から前記最終治療病院の前記最終病院端末に送信されてそのデータベース管理手段によって管理され、前記最終治療病院において、その最終治療病院の座標値と当該傷病者の受け入れ時刻とから最終ＩＤが設定されて前記初期値ＩＤ、前記第２ＩＤ及び前記第３ＩＤに付加され、これに当該最終治療病院における処置内容が関連付けされて付加されて最終データが作成され、前記最終病院端末のデータベースにおける当該傷病者の三次データが更新される。
【００１２】
また、上記課題を解決するための請求項４に記載の発明は、傷病者の発見地点からの搬送先である域内搬送拠点に設置される域内拠点端末と、救助者が所持し、ＧＰＳ機能を備えていてネットワークを介して前記域内拠点端末に接続される携帯端末と、前記域内搬送拠点からの搬送先である域外搬送拠点に設置され、ネットワークを介して前記域内拠点端末に接続される域外拠点端末とを用いて実行される傷病者特定方法である。
【００１３】
この方法は、一次トリアージ実施者である前記救助者により入力された、傷病者が発見された場所の座標値と発見時間とから当該傷病者の初期値ＩＤが設定されてそれに関連付けされた一次データが作成されるステップと、
設定された前記初期値ＩＤが、前記救助者により当該傷病者に付されると共に、前記一次データが前記ネットワークを介して前記携帯端末から当該傷病者の搬送先の前記域内搬送拠点の前記域内拠点端末に送信されてそのデータベース管理手段によって管理されるステップと、
当該傷病者が搬送された前記域内搬送拠点において、前記域内搬送拠点における二次トリアージ実施者により入力された、その域内搬送拠点の座標値と当該傷病者の受け入れ時刻とから第２ＩＤが設定されて前記初期値ＩＤに付加され、これに前記域内搬送拠点における処置内容を含む情報が関連付けされて付加されて二次データが作成され、当該傷病者の前記一次データが更新されるステップと、
前記二次データが、当該傷病者の搬送先である前記域外搬送拠点の域外拠点端末に送信されてそのデータベース管理手段によって管理されるステップと、
当該傷病者が搬送された前記域外搬送拠点において、前記域外搬送拠点における三次トリアージ実施者により入力された、その域外搬送拠点の座標値と当該傷病者の受け入れ時刻とから第３ＩＤが設定されて前記初期値ＩＤ及び前記第２ＩＤに付加され、これに前記域外搬送拠点における処置内容を含む情報が関連付けされて付加されて三次データが作成され、当該傷病者の前記二次データが更新されるステップと、から成ることを特徴とする。
【００１４】
一実施形態においては、更に、前記傷病者の前記域外搬送拠点からの搬送先である最終治療病院に設置され、ネットワークを介して前記域外拠点端末に接続される最終病院端末を含み、前記傷病者が搬送された前記最終治療病院において、前記最終治療病院における最終治療者により入力された、前記最終治療病院の地点の座標値と当該傷病者の受け入れ時刻とから最終ＩＤが設定され、前記初期値ＩＤ、第２ＩＤ及び第３ＩＤに付加され、また、これに前記最終治療病院における処置内容を含む情報が関連付けされて付加されて最終データが作成され、前記最終病院端末のデータベース管理手段によって管理されるステップを含む。
【００１５】
また、一実施形態においては、前記域内拠点端末、前記域外拠点端末及び前記最終病院端末に対して外部からのアクセスを可能にする。
【発明の効果】
【００１６】
本発明に係る傷病者特定システム及び特定方法は上記のとおりであって、発見時及びその後の各収容所において、それぞれ座標値と傷病者の受け入れ時刻に基づく傷病者ごとのＩＤが、当該傷病者に付けられると共に、各収容所におけるデータベースに当該傷病者に関する治療内容等の情報と共に管理されて外部からの閲覧が可能にされるため、各傷病者の特定が可能となって安否確認も容易となり、また、如何なる症状であって如何なる治療がなされたてきたかの把握も可能なため、以後の対応を適切に行うことができる効果がある。
【００１７】
また、本発明に係る傷病者特定システム及び特定方法においては、座標値と傷病者の受け入れ時刻に基づいて傷病者ごとのＩＤが設定されるが、このＩＤは唯一無二のものであり、未だ、災害医療に関わる各国、各機関において標準化されていない、傷病者を特定するための識別番号（ＩＤ番号）の標準ＩＤとして用いるのに好適で、当該傷病者に関する情報の共有並びに有効活用の実現を可能にする効果がある。
【図面の簡単な説明】
【００１８】
【図１】本発明に係る傷病者特定システムの概略構成図である。
【図２】本発明に係る傷病者特定方法の流れを説明するための図である。
【図３】本発明に係る傷病者特定方法を説明するための図である。
【発明を実施するための形態】
【００１９】
本発明に係る傷病者特定システムは、図１に概略構成が示されているように、少なくとも、第１の搬送先である域内搬送拠点３に設置される域内拠点端末４と、救助現場１において救助作業者が所持し、ＧＰＳ機能を備えていてネットワーク１０を介して域内拠点端末４に接続される携帯端末２と、第２の搬送先である域外搬送拠点５に設置されて、ネットワーク１０を介して域内拠点端末４に接続される域外拠点端末６とを含んで構成されるものである。更に必要に応じ、域外搬送拠点５からの搬送先である最終治療病院７に設置され、ネットワーク１０を介して域外拠点端末６に接続される最終病院端末８を含む。
【００２０】
以下に、上記構成の本発明に係る傷病者特定システムを実施するための本発明に係る傷病者特定方法について、図２の流れ図を参照しつつ、ステップ順に詳細に説明する。
【００２１】
初期値ＩＤ作成ステップ
被災地１において被災者の探索救助に従事する者は、各自ＧＰＳ機能を備えた携帯端末２を所持する。携帯端末２は、ＧＰＳ機能を備えた無線機あるいは携帯電話機であり得る。そして、一次トリアージ実施者である救助者は、負傷生存者（以下傷病者とする）又は遺体を発見した場合は（Ｓ１０１）、直ちに携帯端末２を用いて、傷病者を発見した場所の座標値を取得すると共に発見時刻を確認して入力することにより、当該座標値と発見時刻とから当該傷病者の初期値ＩＤデータが作成される（Ｓ１０２）。例えば、１５時３０分に緯度３９．０６５、経度１４１．７２５の地点で発見した傷病者の初期値ＩＤは、「Ｔ１５３０  Ｎ３９０６５Ｅ１４１７２５」とする（図３参照）。当初設定されるこの初期値ＩＤが、後々当該傷病者を特定するための基礎データとなる。
【００２２】
第一次トリアージ及び初期値ＩＤ送信ステップ
作成された初期値ＩＤは、例えば、トリアージタッグの如きタッグに記録され、当該タッグが傷病者の手首や足首に装着される（Ｓ１０２）。そして、発見現場において第一次トリアージが行われる（Ｓ１０３）。トリアージは、医療資源を効率的に配分することを目的とするものである。即ち、多数の死傷者が出る可能性のある大災害や大事故、あるいは、戦争等のように、救急需要が同時多発し、搬送手段や治療に制約が伴う状況下においては、できる限り多くの人命を救うために、医療資源を効率的に配分することが要請される。そのため、救急隊員や医師が、短時間のうちに負傷者の負傷の程度を判別し、最優先治療、非緊急治療、軽処置、不処置（ほとんど死亡状態か救命不可能な超重症者）に順位分けをするトリアージが行われるのである。
【００２３】
その順位分け後、通常色分けされているトリアージタッグに、名前、年齢、血液型、症状等が記入されるが、これに更に初期値ＩＤを記録することができる。また、傷病者の発見状況、症状、応急措置の内容等の情報が、初期値ＩＤと関連付けられて一次データとされ、ネットワーク１０を介して携帯端末２から当該傷病者の第一次受け入れ先である域内搬送拠点３の域内拠点端末４に送信され、域内拠点端末４のデータベース管理手段によって管理される（Ｓ１０４）。
【００２４】
二次データ作成ステップ
域内搬送拠点３は、ある程度の治療設備と人員とを備えた域内の病院、あるいは、特設の応急措置施設であり、そこにおいて収容された傷病者に対する第二次トリアージがなされる。域内搬送拠点３においては、車両やヘリコプター等で搬送されてきた傷病者に付されている初期値ＩＤを目視して、その傷病者が何時どこで発見されたかをある程度確認することができる。
【００２５】
また、その初期値ＩＤを用いてその域内拠点端末４において管理されているデータベースにつき一次データの検索を行い、抽出された当該傷病者の一次データから、発見現場において如何なる措置が取られたか等を確認することができる（Ｓ１０６）。それにより、域内搬送拠点３において当該傷病者に対して迅速に適切な処置をとることが可能となる。また、域内搬送拠点３における二次トリアージ実施者により、域内拠点端末４において、当該域内搬送拠点３の座標値（一定で既知である）と各傷病者の受け入れ時刻とが入力されることにより、第２ＩＤが作成されて初期値ＩＤに付加され、これに域内搬送拠点３における処置内容を含む情報が関連付けされて付加されて二次データとされ、そのデータベースの当該傷病者の一次データが更新される（Ｓ１０７）。
【００２６】
二次データ送信ステップ
域内拠点端末４において管理されているデータベースにおける二次データは、外部からアクセスして閲覧可能にされる。そして、域内搬送拠点３における第二次トリアージの結果、更なる治療が必要と判断された傷病者は、その優先順に、より高度の治療設備と人員とを備えた、第二次受け入れ拠点である域外搬送拠点５に、車両、ヘリコプター、飛行機等により搬送される。その搬送に先立ち、域内拠点端末４より当該傷病者の二次データが、ネットワークを介して域外搬送拠点５の域外拠点端末６に送信され、域外拠点端末６のデータベース管理手段によって管理される（Ｓ１０８）。
【００２７】
三次データ作成・送信ステップ
通例、飛行場に付設されて様々な医療処置を行うＳＣＵ（ステージング  ケア  ユニット）である域外搬送拠点５においては、傷病者受け入れ後、当該傷病者に付されている初期値ＩＤにより、その域外拠点端末６によって管理されている二次データの検索を行い、当該傷病者の二次データを抽出して確認する作業が行われる（Ｓ１０９）。それにより、当該傷病者が何時どこで発見され、どの拠点で如何なる治療を受けてきたかを確認することができ、それに基づいて第三次トリアージ（空港トリアージ）を実行し、以後、如何なる治療をするためにどの病院に搬送すべきかを迅速且つ的確に判断することが可能となる（Ｓ１１０）。
【００２８】
域外搬送拠点５においては、域外搬送拠点５における三次トリアージ実施者により、当該域外搬送拠点５の座標値（一定で既知である）と当該傷病者の受け入れ時刻とが入力されることにより、第３ＩＤが作成され、第２ＩＤに続けて初期値ＩＤに付加される。また、域外搬送拠点５における治療内容等に関する情報が第３ＩＤに関連付けされて三次データが作成され、域外拠点端末６のデータベースにおける当該傷病者の二次データが更新され、外部からアクセスして閲覧可能にされる。
【００２９】
域外搬送拠点５において処置を受けた傷病者は、優先順に、より高度の治療設備と人員とを備えた、最終治療を行う最終治療病院７に飛行搬送される（Ｓ１１１）。その搬送に先立ち、域外拠点端末６より当該傷病者の三次データが、ネットワーク１０を介して最終治療病院７の最終病院端末８に送信されて、最終病院端末８のデータベース管理手段によって管理される。
【００３０】
最終治療病院７においても域外搬送拠点５におけると同様に、最終治療実施者により、最終治療病院７の地点の座標値（一定で既知である）と当該傷病者の受け入れ時刻とが入力されることにより、最終ＩＤが作成され、第２ＩＤ及び第３ＩＤに続けて初期値ＩＤに付加される。また、最終治療病院７における治療内容等に関する情報が最終ＩＤに関連付けされて最終データが作成され、最終病院端末８のデータベースにおける当該傷病者の三次データが更新され、外部からアクセスして閲覧可能にされる。
【００３１】
このように、本発明に係る傷病者特定システム及び特定方法においては、発見時及びその後の各収容所において、それぞれ座標値と傷病者の受け入れ時刻に基づく傷病者ごとのＩＤが、当該傷病者に装着されると共に、そのＩＤが各収容所におけるデータベースにおいて、記憶装置に当該傷病者に関する治療内容等の情報と共に管理されて外部からの閲覧が可能にされるため、各傷病者の特定が可能となって安否確認も容易となる。また、如何なる症状であって如何なる治療がなされたてきたかの把握も可能なため、第二次及び第三次トリアージ等、以後の対応を迅速且つ適切に行うことが可能となる。
【００３２】
また、本発明に係る傷病者特定システム及び特定方法においては、座標値と傷病者の受け入れ時刻に基づいて傷病者ごとのＩＤが設定されるが、このＩＤは重複することのない唯一無二のものであるため、未だ、災害医療に関わる各国、各機関において標準化されていない、傷病者を特定するための識別番号（ＩＤ番号）の標準ＩＤとして用いるのに好適であり、それを基礎にして、当該傷病者に関する情報の共有並びに有効活用を図ることが可能となる等、本発明に係る傷病者特定システム及び特定方法は産業上の利用性に富んだものである。
【００３３】
この発明をある程度詳細にその最も好ましい実施形態について説明してきたが、この発明の精神と範囲に反することなしに更に異なる実施形態を構成することができることは言うまでもない。従って、この発明は、添付請求の範囲において限定した以外はその特定の実施形態に制約されるものではない。
【符号の説明】
【００３４】
１    被災地
２    携帯端末
３    域内搬送拠点
４    域内拠点端末
５    域外搬送拠点
６    域外拠点端末
７    最終治療病院
８    最終病院端末
１０    ネットワーク
【図１】
0006293989.tif 000002
【図２】
0006293989.tif 000003
【図３】
0006293989.tif 000004